(57)【要約】【課題】冷凍機が使用する電力エネルギーが不要で、常温の環境下において水道水等を氷にすることのできる、常温の環境下における氷結方法を提供する。【解決手段】本発明に係る常温の環境下における氷結方法は、所定の容器に水と特殊水を入れて攪拌し、この混合水を入れた容器を庫内温度が約１０℃の冷蔵庫に所定時間保管し、その後、容器を冷蔵庫から取り出して常温の環境下におくことで、容器内の混合水を氷にする。また、２リットルの水に、１ｃｃの特殊水を入れて混合水とする。さらに、容器は、ペットボトルである。【選択図】図１
2005188806.tif 000002
【特許請求の範囲】
【請求項１】
所定の容器に水と特殊水を入れて攪拌し、この混合水を入れた容器を庫内温度が約１０℃の冷蔵庫に所定時間保管し、その後、容器を冷蔵庫から取り出して常温の環境下におくことで、容器内の混合水を氷にする常温の環境下における氷結方法。
【請求項２】
２リットルの水に、１ｃｃの特殊水を入れて混合水とした請求項１に記載の常温の環境下における氷結方法。
【請求項３】
容器は、ペットボトルである請求項１に記載の常温の環境下における氷結方法。
【請求項４】
水と特殊水の混合水が入っているペットボトルを傾けて、ペットボトルの口部から混合水の一部を注ぎ出すことで、ペットボトル内の混合水に、空気を供給する請求項３に記載の常温の環境下における氷結方法。
【請求項５】
熱交換の作用により、混合水の不必要な熱をペットボトルの外へ排出する請求項４に記載の常温の環境下における氷結方法。
【請求項６】
特殊水は、イオン水である請求項１または２、請求項４に記載の常温の環境下における氷結方法。
【請求項７】
特殊水は、海洋深層水である請求項１または２、請求項４に記載の常温の環境下における氷結方法。
【請求項８】
特殊水は、臨界水である請求項１または２、請求項４に記載の常温の環境下における氷結方法。
【請求項９】
特殊水は、水の性質の限界となるものである請求項１または２、請求項４に記載の常温の環境下における氷結方法。
【発明の詳細な説明】
【技術分野】
【０００１】
本発明は、冷凍機等を使わずに、常温の環境下で水道水等を氷にする常温の環境下における氷結方法に関するものである。
【背景技術】
【０００２】
従来における氷の製造方法としては、例えば、電力を用いた冷凍機等を使用することで、水と冷気を直接接触させ、いわゆる熱交換を行なって氷が製造されると共に、氷を製造する過程において生じる潜熱を逃がす方法が採られている。
【特許文献１】特になし
【発明の開示】
【発明が解決しようとする課題】
【０００３】
しかしながら、従来における氷の製造方法においては、冷凍機が使用する電力エネルギーが不可欠であるため、氷の製造コストが高くなる弊害が生じていた。
【０００４】
そこで、本発明は叙上のような従来存した諸事情に鑑み創出されたもので、冷凍機が使用する電力エネルギーが不要で、常温の環境下において水道水等を氷にすることのできる、常温の環境下における氷結方法を提供することを目的とする。
【課題を解決するための手段】
【０００５】
本発明に係る常温の環境下における氷結方法あっては、所定の容器に水と特殊水を入れて攪拌し、この混合水を入れた容器を庫内温度が約１０℃の冷蔵庫に所定時間保管し、その後、容器を冷蔵庫から取り出して常温の環境下におくことで、容器内の混合水を氷にすることで、上述した課題を解決した。
【０００６】
また、２リットルの水に、１ｃｃの特殊水を入れて混合水としたことで、同じく上述した課題を解決した。
【０００７】
さらに、容器は、ペットボトルであることで、同じく上述した課題を解決した。
【０００８】
また、水と特殊水の混合水が入っているペットボトルを傾けて、ペットボトルの口部から混合水の一部を注ぎ出すことで、ペットボトル内の混合水に、空気を供給することで、同じく上述した課題を解決した。
【０００９】
加えて、熱交換の作用により、混合水の不必要な熱をペットボトルの外へ排出することで、同じく上述した課題を解決した。
【００１０】
また、特殊水は、イオン水であることで、同じく上述した課題を解決した。
【００１１】
この他、特殊水は、海洋深層水であることで、同じく上述した課題を解決した。
【００１２】
また、特殊水は、臨界水であることで、同じく上述した課題を解決した。
【００１３】
さらに、特殊水は、水の性質の限界となるものであることで、同じく上述した課題を解決した。
【００１４】
以上のように構成された本発明に係る常温の環境下における氷結方法は、１ｃｃのイオン水が混入した２リットルの混合水において、酸素が効率良く水の分子に結合して混合水の熱を吸収し、この吸収した熱は空気と一緒に外部に排出され、氷結を実現している。
【発明の効果】
【００１５】
本発明は、以上のように構成されているため、冷凍機が使用する電力エネルギーが不要となり、常温の環境下において水道水等を氷にすることができる。その結果、氷の製造において、一般的に使用される電力エネルギー等が不要となり、産業界等において著しいエネルギー革命をもたらすことができる。
【発明を実施するための最良の形態】
【００１６】
以下に、本発明を実施するための最良の形態を、図面を参照して説明する。本発明に係る常温の環境下における氷結方法は、冷凍機を使わずに、常温の環境下において水道水等を氷にするものである。
【００１７】
氷結の具体的工程は、図１に示すように、容器内の水道水に、特殊水としてのイオン水を入れる混合工程１と、混合水である水道水とイオン水の攪拌工程２と、混合水を入れた容器を庫内温度が約１０℃の冷蔵庫に入れておく低温保温工程３と、容器を冷蔵庫から取り出し、空気を導入して熱交換を行なわせる熱交換工程４とから成る。
【００１８】
具体的な氷結方法は、容器である２リットル容積のペットボトルに水道水をおよそ２リットル入れる。次に、この水道水に、イオン水を１ｃｃ入れてよく攪拌する。そして、庫内温度が約１０℃の冷蔵庫内にペットボトルを所定時間入れておく。その後、ペットボトルを冷蔵庫から取り出して常温の環境下にある部屋のテーブル等におく。そして、ペットボトルの口部からおよそ１８０ｃｃの混合水をコップ等に注ぎ出した（すなわち、ペットボトルから混合水を１８０ｃｃ取り出した）後、ペットボトルをそのまま常温の環境下に放置しておく。
【００１９】
そして、ペットボトルの口部から注ぎ出した混合水をコップ等に入れる際に、ペットボトル内に空気が入り込み、ペットボトルの口部側から底部側に、気泡が移動する。このとき、ペットボトルに入れた水道水が酸素と結合して熱が吸収され、熱は空気と一緒にペットボトルの口部から外に排出されて氷結が起こる。例えば、部屋の温度が１７℃〜１８℃の所にペットボトルのキャップを外したままの状態で放置しておくと、約１０秒後に氷結を開始し、ペットボトル内において水道水の全体が氷結するものである。
【００２０】
尚、特殊水は、イオン水に限定されることはなく、例えば、海洋深層水や臨界水等であっても良い。また、特殊水は、水の性質の限界となるものである。さらに、本発明により氷結させるのは、水道水に限定されることはなく、例えば、ミネラルウォーター等の全ての水を含むものである。
【産業上の利用可能性】
【００２１】
本発明において、水道水等を氷結させる替わりに、海水を氷結させれば、塩分濃度が希薄な氷結部と、塩分が濃縮された溶液部とに効率良く分離することができ、海水の淡水化にも貢献するものである。
【図面の簡単な説明】
【００２２】
【図１】本発明を実施するための最良の形態における氷の製造工程を示すフローチャート図である。
【符号の説明】
【００２３】
１…混合工程                    ２…攪拌工程
３…低温保温工程                ４…熱交換工程
【図１】
2005188806.tif 000003